(57)【特許請求の範囲】
【請求項１】
信号波形の表示に際して数値を変更するための数値変更用キーが第１の所定時間を超えて連続的に操作された際に、設定すべき数値を連続的に変更しつつその数値を表示部に表示する機能を有する波形表示装置において、
前記数値変更用キーが前記第１の所定時間よりも長時間の第２の所定時間を超えて連続的に操作された際に、それ以前における前記数値の変更量よりも大きな変更量で、かつ当該それ以前における前記数値の変更速度よりも低速で当該数値を変更する機能をさらに備えていることを特徴とする波形表示装置。
【請求項２】
信号波形の表示に際して数値を変更するための数値変更用キーが第１の所定時間を超えて連続的に操作された際に、設定すべき数値を連続的に変更しつつその数値を表示部に表示する機能を有する波形表示装置において、
前記数値変更用キーが前記第１の所定時間よりも長時間の第２の所定時間を超えて連続的に操作された際に、それ以前における前記数値の変更量よりも大きな変更量で、かつその直前に設定された前記数値の少なくとも最下位桁を切り上げまたは切り捨てた後に当該数値を変更する機能をさらに備えていることを特徴とする波形表示装置。
【請求項３】
前記数値変更用キーが前記第２の所定時間よりも短時間の第３の所定時間を超えて操作開始時から連続的に操作された際に、前記第１の所定時間から前記第３の所定時間までの期間における前記変更量とほぼ同一の変更量で、かつ前記期間における変更速度よりも高速に前記数値を変更する機能を有することを特徴とする請求項１または２記載の波形表示装置。
【請求項４】
前記数値変更用キーが前記第２の所定時間よりも長時間の第４の所定時間を超えて連続的に操作された際に、その直前における前記数値の変更量よりもさらに大きな変更量で当該数値を変更する機能を有することを特徴とする請求項１から３のいずれかに記載の波形表示装置。
【請求項５】
前記数値の変更量を任意に設定可能な機能を有することを特徴とする請求項１から４のいずれかに記載の波形表示装置。
【請求項６】
前記所定時間の長さを任意に設定可能な機能を有することを特徴とする請求項１から５のいずれかに記載の波形表示装置。
【発明の詳細な説明】
【０００１】
【発明の属する技術分野】
本発明は、数値変更用キーが連続的に操作された際に設定すべき数値を連続的に変更しつつその数値を表示部に表示する数値連続的変更設定表示機能を有する波形表示装置に関するものである。
【０００２】
【従来の技術】
例えば、測定した交流電圧についての信号波形を表示部に表示可能に構成された波形表示装置では、信号波形の表示に際して表示部に表示させる表示レンジの上限値および下限値をそれぞれ任意に設定可能に構成されている。この場合、表示レンジは、例えば、下限値が−１０００Ｖ〜９９９Ｖの範囲、上限値が−９９９Ｖ〜１０００Ｖの範囲でそれぞれ１Ｖ刻みで任意に設定される。また、波形表示装置には、表示レンジの上限値および下限値などを変更するための設定値変更用のＵＰキーおよびＤＯＷＮキーが配設されている。したがって、例えば表示レンジの上限値を変更する際には、ＵＰキーまたはＤＯＷＮキーを１回操作すると、上限値が変更量１Ｖで１回だけ増加または減少した値に設定変更され、その変更された新たな設定値が表示部に表示される。一方、ＵＰキーまたはＤＯＷＮキーを押し続けて操作開始時から例えば１秒以上経過すると、いわゆるキーリピート機能が作動し、上限値が０．１秒当り１Ｖの変更量で連続的に増加または減少した値に変更され、その変更された値が表示部に逐次表示される。
【０００３】
具体的には、例えば１２Ｖに設定されている上限値を１５０Ｖに変更するときには、ＵＰキーを操作する。この際には、図６に示すように、ＵＰキーを操作した瞬間（０秒）において、設定値が１２Ｖから１３Ｖに変更される。また、操作開始時から１秒以上ＵＰキーを押し続けた時点では、設定値が１３Ｖから１４Ｖに変更され、この後、ＵＰキーが押し続けられている限り、設定値が０．１秒当り１Ｖの変更量で連続的に変更される。例えば、ＵＰキーを５秒間押し続けた場合には、設定値が５４Ｖに変更され、１０秒間押し続けた場合には、設定値が１０４Ｖに変更され、１５秒間押し続けた場合には、設定値が１５４Ｖに変更される。したがって、上限値を１５０Ｖに変更するときには、ＵＰキーを１４秒程度押し続けて一旦離した後、その際に表示部に表示されている設定値と目標設定値１５０Ｖとの差に応じて、表示部に１５０Ｖと表示されるまでＵＰキーまたはＤＯＷＮキーを数回操作する。この際には、キーリピート機能が作動しないように、ＵＰキーまたはＤＯＷＮキーを間欠的に操作する。これにより、表示レンジの上限値が１５０Ｖに設定変更される。
【０００４】
【発明が解決しようとする課題】
ところが、従来の波形表示装置には、以下の問題点がある。すなわち、従来の波形表示装置では、例えば表示レンジの上限値が１２Ｖに設定されている状態で、８００Ｖに変更する際には、ＵＰキーを８０秒程度押し続けなければならない。したがって、設定値を大きく変更するときには、ＵＰキーまたはＤＯＷＮキーを長時間押し続けなければならないため、従来の波形表示装置には、その操作に長時間を要するという問題点がある。
【０００５】
また、従来の波形表示装置におけるキーリピート機能の作動状態では、設定値の変更間隔が０．１秒と非常に短く設定されているため、視認性が悪く、表示部に逐次表示される設定値を読み取ることが困難である。したがって、目標設定値に設定されるようにタイミングよくＵＰキーまたはＤＯＷＮキーを離すのが至難である。このため、設定値が目標設定値から遙かに離れた数値に設定された場合には、目標設定値に設定されるまでさらに幾度もＵＰキーまたはＤＯＷＮキーを操作しなくてはならず、その操作が煩雑であり、しかも長時間を要してしまう。一方、設定値の変更間隔を長くすることによって視認性をよくした場合には、設定変更に要する時間がさらに長時間となってしまう。
【０００６】
本発明は、かかる問題点に鑑みてなされたものであり、設定値を短時間で設定変更が可能な波形表示装置を提供することを主目的とする。また、設定値を容易に設定変更できる波形表示装置を提供することを他の目的とする。
【０００７】
【課題を解決するための手段】
上記目的を達成すべく請求項１記載の波形表示装置は、信号波形の表示に際して数値を変更するための数値変更用キーが第１の所定時間を超えて連続的に操作された際に、設定すべき数値を連続的に変更しつつその数値を表示部に表示する機能を有する波形表示装置において、数値変更用キーが第１の所定時間よりも長時間の第２の所定時間を超えて連続的に操作された際に、それ以前における数値の変更量よりも大きな変更量で、かつそれ以前における数値の変更速度よりも低速で数値を変更する機能をさらに備えていることを特徴とする。
【０００８】
請求項２記載の波形表示装置は、信号波形の表示に際して数値を変更するための数値変更用キーが第１の所定時間を超えて連続的に操作された際に、設定すべき数値を連続的に変更しつつその数値を表示部に表示する機能を有する波形表示装置において、数値変更用キーが第１の所定時間よりも長時間の第２の所定時間を超えて連続的に操作された際に、それ以前における数値の変更量よりも大きな変更量で、かつその直前に設定された数値の少なくとも最下位桁を切り上げまたは切り捨てた後に数値を変更する機能をさらに備えていることを特徴とする。
【０００９】
請求項３記載の波形表示装置は、請求項１または２記載の波形表示装置において、数値変更用キーが第２の所定時間よりも短時間の第３の所定時間を超えて操作開始時から連続的に操作された際に、第１の所定時間から第３の所定時間までの期間における変更量とほぼ同一の変更量で、かつ期間における変更速度よりも高速に数値を変更する機能を有することを特徴とする。
【００１１】
請求項４記載の波形表示装置は、請求項１から３のいずれかに記載の波形表示装置において、数値変更用キーが第２の所定時間よりも長時間の第４の所定時間を超えて連続的に操作された際に、その直前における数値の変更量よりもさらに大きな変更量で数値を変更する機能を有することを特徴とする。
【００１２】
請求項５記載の波形表示装置は、請求項１から４のいずれかに記載の波形表示装置において、数値の変更量を任意に設定可能な機能を有することを特徴とする。
【００１３】
請求項６記載の波形表示装置は、請求項１から５のいずれかに記載の波形表示装置において、所定時間の長さを任意に設定可能な機能を有することを特徴とする。
【００１４】
【発明の実施の形態】
以下、添付図面を参照して、本発明に係る波形表示装置の実施の形態について説明する。
【００１５】
この波形表示装置は、入力信号についての信号波形や各種動作条件設定用画面などを表示する表示部と、ＵＰキーおよびＤＯＷＮキーなどの各種キーが配列された操作部と、キー操作に応じて設定値を設定変更しつつその設定値を表示部に表示させる制御部とを備えている（いずれも図示せず）。この場合、ＵＰキーおよびＤＯＷＮキーは、本発明における数値変更用キーに相当する。一方、制御部は、ＵＰキーまたはＤＯＷＮキーの操作開始時には、所定の変更量で設定値を変更させ、連続的に操作されたときには、図２に示すように、キーリピート機能を作動させ、キー操作開始時からの経過時間に応じて異なる変更間隔および変更量で設定値を連続的に変更する。また、制御部は、変更間隔設定キーまたは変更量設定キーが操作されたときには、その操作に応じた変更間隔または変更量で設定値を変更する。
【００１６】
次に、本発明の実施の形態に係る波形表示装置における数値変更処理について、各図を参照しつつ具体的に説明する。
【００１７】
例えば表示レンジの上限値を設定変更する際には、まず、所定のキーを操作することにより、表示レンジの上限値および下限値を設定するための動作条件設定用画面を表示部に表示させる。次に、表示部に表示されている上限値についての既設定値にカーソルを位置合わせした状態で、既設定値が目標設定値に変更されるまでＵＰキーまたはＤＯＷＮキーを操作する。以下、１２Ｖに設定されている上限値を８１３Ｖに変更する例について具体的に説明する。まず、図１に示すように、数値変更キーとしてのＵＰキーを操作する（ステップ１）。この際に、制御部は、図３に示すように、変更量１Ｖで上限値を１２Ｖから１３Ｖに変更した後に（ステップ２）、数値変更キー（ＵＰキー）が押し続けられているか否かを判別する（ステップ３）。押し続けられていないと判別したときには、この数値変更処理を終了する（ステップ４）。
【００１８】
一方、ＵＰキーが押し続けられていると判別したときには、制御部は、ＵＰキーの操作開始時から１秒（本発明における第１の所定時間に相当する）以上経過しているか否かを判別する（ステップ５）。経過していないと判別したときには、ステップ３，５を繰り返し実行し、１秒以上経過していると判別したときには、操作開始時から４秒（本発明における第３の所定時間に相当する）以上経過しているか否かを判別する（ステップ６）。経過していないと判別したときには、０．５秒当り１Ｖの変更量で設定値を連続的に変更する（ステップ７）。これにより、図３に示すように、ＵＰキーの操作開始時から１秒が経過した時に設定値が１４Ｖに変更され、この後、０．５秒当り１Ｖの変更量で連続的に変更され、操作開始時から３．５秒が経過した時には、その設定値が１９Ｖに変更される。
【００１９】
また、ステップ６において、操作開始時から４秒以上経過していると判別したときには、操作開始時から７秒（本発明における第２の所定時間に相当する）以上経過しているか否かを判別する（ステップ８）。経過していないと判別したときには、０．２秒当り１Ｖの変更量で設定値を連続的に変更する（ステップ９）。これにより、図３に示すように、設定値は、ＵＰキーの操作開始時から４秒の経過時に２０Ｖに変更され、この後、０．２秒当り１Ｖの変更量で連続的に変更され、操作開始時から６．８秒が経過した時には、３４Ｖに変更される。
【００２０】
また、制御部は、ステップ８において、７秒以上経過していると判別したときには、操作開始時から１２秒（本発明における第４の所定時間に相当する）以上経過したか否かを判別する（ステップ１０）。経過していないと判別したときには、設定値における最下位桁である１位の桁が「０」であるか否かを判別する（ステップ１１）。１位の桁が「０」ではないと判別したときには、その１位の桁を切り上げた後（ステップ１２）、０．５秒当り１０Ｖの変更量で設定値を連続的に変更する（ステップ１３）。一方、「０」であると判別したときには、０．５秒当り１０Ｖの変更量で設定値を連続的に変更する（ステップ１３）。これにより、設定値は、図４に示すように、ＵＰキーの操作開始時から７秒が経過した時に３４Ｖから４０Ｖに変更され、操作開始時から７．５秒が経過した時に５０Ｖに変更される。この後、０．５秒当り１０Ｖの変更量で連続的に変更され、操作開始時から１１．５秒が経過した時には１３０Ｖに変更される。
【００２１】
また、制御部は、ステップ１０において、１２秒以上経過したと判別したときには、設定値の１０位の桁が「０」であるか否かを判別する（ステップ１４）。「０」ではないと判別したときには、その１０位の桁を切り上げた後に（ステップ１５）、０．５秒当り１００Ｖの変更量で設定値を連続的に変更する（ステップ１６）。一方、「０」であると判別したときには、０．５秒当り１００Ｖの変更量で設定値を連続的に変更する（ステップ１６）。これにより、設定値は、図５に示すように、ＵＰキーの操作開始時から１２秒が経過した時に１０位の桁を切り上げられて１３０Ｖから２００Ｖに変更され、操作開始時から１２．５秒が経過した時に３００Ｖに変更される。この後、設定値は、０．５秒当り１００Ｖの変更量で連続的に変更され、操作開始時から１５秒経過時にＵＰキーを離したときには、８００Ｖに変更される。これにより、この数値変更処理が終了する。
【００２２】
次に、ＵＰキーが再び操作される（ステップ１）と、制御部は、変更量を１Ｖで上限値を８００Ｖから８０１Ｖに変更した後に（ステップ２）、ＵＰキーが押し続けられているか否かの判別（ステップ３）、１秒以上経過したか否かの判別（ステップ５）、４秒以上経過したか否かの判別（ステップ６）を順に実行し、４秒以上経過していないと判別したときに、０．５秒当り１Ｖの変更量で設定値を連続的に変更する（ステップ７）。これにより、設定値は、ＵＰキーが再び操作されてから１秒が経過した時に８０２Ｖに変更され、操作開始時から３．５秒が経過した時に８０７Ｖに変更される。次に、制御部は、操作開始時から４秒以上経過した際に、操作開始時から７秒以上経過したか否かを判別し（ステップ８）、経過していないと判別したときには、０．２秒当り１Ｖの変更量で設定値を連続的に変更する（ステップ９）。これにより、設定値は、ＵＰキーを再び操作してから４秒が経過した時に８０８Ｖに変更され、操作開始時から５秒が経過した時に８１３Ｖに変更される。この際にＵＰキーを離すことにより、設定値が８１３Ｖに設定変更され、これにより、数値変更処理が終了する。
【００２３】
一方、ＵＰキーを離したときに、設定値が８１３Ｖの近傍値であったときには、その設定値と目標設定値である８１３Ｖとの差に応じて、表示部に８１３Ｖと表示されるまでＵＰキーまたはＤＯＷＮキーを数回操作する。この際には、キーリピート機能が作動しないようにして、ＵＰキーまたはＤＯＷＮキーを間欠的に操作する。これにより、表示レンジの上限値が８１３Ｖに変更される。
【００２４】
このように、この波形表示装置では、キー操作開始時から７秒以上１２秒未満の期間、および１２秒以上の期間において、０．５秒当りそれぞれ１０Ｖおよび１００Ｖの変更量で設定値を変更する。このため、設定値を大きく変更する際にも、短時間で設定変更を終了することができる。また、操作開始時から７秒が経過した際に設定値における１位の桁を切り上げると共に、操作開始時から１２秒が経過した際に設定値における１０位の桁を切り上げることにより、例えば、１３Ｖ、２３Ｖ、３３Ｖ・・のように、１位の桁を残したまま変更したり、１３０Ｖ、２３０Ｖ、３３０Ｖ・・のように、１０位の桁を残したまま変更したりする場合と比較して、表示部に表示されて順次変化する設定値を容易に認識することができる。このため、目標設定値の近傍でＵＰキーまたはＤＯＷＮキーを確実に離すことができる結果、設定値を短時間かつ容易に変更することができる。このように、１０刻みや１００刻みに各種値を設定する機会の多い波形表示装置では、特に著効が発揮される。
【００２５】
さらに、この波形表示装置では、キー操作開始時から４秒以上７秒未満の期間における数値変更間隔が、キー操作開始時から１秒以上４秒未満の間の期間よりも短く設定されているため、キーを押し続ける時間を設定値と目標設定値との差に応じて調整することにより、短時間で目標設定値に変更することができる。また、数値変更間隔が、従来の波形表示装置と比較して、キー操作開始時から１秒以上４秒未満の期間で０．４秒、４秒以上７秒未満の期間で０．１秒延長されているため、表示部に表示されて逐次変化する設定値を確実に読み取ることができる。これにより、目標設定値の近傍でＵＰキーまたはＤＯＷＮキーを確実に離すことができる結果、設定値を短時間かつ容易に変更することができる。
【００２６】
なお、本発明は、上記した本発明の実施の形態に限定されない。例えば、本発明の実施の形態では、変更量を所定時間おきに１Ｖ、１０Ｖおよび１００Ｖに変える例について説明したが、本発明はこれに限定されず、任意の変更量に規定することができ、例えば、変更量を０．１Ｖ、０．５Ｖ、５Ｖ、５０Ｖおよび１００Ｖなどの不規則の順序で変えることもできる。また、本発明の実施の形態では、設定値の変更間隔として０．５秒、０．２秒に規定した例について説明したが、本発明はこれに限定されず、その変更間隔を適宜変更することができる。同様にして、本発明における第１〜第４の所定時間についてもそれぞれ任意に規定することができる。さらに、本発明の実施の形態では、キー操作開始時から７秒および１２秒が経過した際に、設定値における１位の桁および１０位の桁を切り上げる例について説明したが、設定値の１位の桁および１０位の桁を切り捨ててもよい。この場合、設定値を増加させるときには切り上げし、減少させるときには切り捨てるのが好ましく、オペレータに対して違和感を与えることなく、より短時間で設定値を変更することができる。
【００２７】
また、本発明におけるキーリピート機能は、ＵＰキーおよびＤＯＷＮキーなどの押ボタン形キーに限定されず、例えばジョグダイヤルまたはシャトルダイヤルにも適用が可能であるし、時刻合わせなど各種の数値変更に適用が可能である。
【００２８】
【発明の効果】
以上のように、請求項１記載の波形表示装置によれば、数値変更用キーが第２の所定時間を超えて連続的に操作された際に、それ以前における変更量よりも大きな変更量で数値を変更することにより、短時間で目標設定値に設定変更することができる。また、数値変更用キーが第２の所定時間を超えて連続的に操作された際に、それ以前における数値の変更速度よりも低速で数値を変更することにより、より視認性を向上しつつ、短時間で目標設定値に設定変更することができる。
【００２９】
また、請求項２記載の波形表示装置によれば、数値変更用キーが第２の所定時間を超えて連続的に操作された際に、それ以前における変更量よりも大きな変更量で数値を変更することにより、短時間で目標設定値に設定変更することができる。また、数値変更用キーが第２の所定時間を超えて連続的に操作された際に、その直前に設定された数値の少なくとも最下位桁を切り上げまたは切り捨てた後に数値を変更することにより、表示部に逐次表示される数値の視認性を上げることができるため、短時間かつ容易に目標設定値に設定変更することができる。
【００３０】
また、請求項３記載の波形表示装置によれば、数値変更用キーが第３の所定時間を超えて連続的に操作された際に、それ以前の変更量とほぼ同一の変更量でかつ高速に変更することにより、さらに短時間で目標設定値に設定変更することができる。
【００３２】
また、請求項４記載の波形表示装置によれば、数値変更用キーが第２の所定時間よりも長時間の第４の所定時間を超えて連続的に操作された際に、その直前における数値の変更量よりもさらに大きな変更量で数値を変更することにより、設定値を大きく変更する場合であっても、短時間で目標設定に設定変更することができる。
【００３３】
さらに、請求項５記載の波形表示装置によれば、波形表示装置の使用状況に応じて数値の変更量を任意に設定することができ、これにより、容易に目標設定値に設定変更することができる。
【００３４】
また、請求項６記載の波形表示装置によれば、波形表示装置の使用状況に応じて所定時間の長さを任意に設定することができ、これにより、視認性がよく、しかも、より短時間かつ容易に目標設定値に設定変更することができる。
【図面の簡単な説明】
【図１】  本発明の実施の形態に係る波形表示装置における数値変更処理のフローチャートである。
【図２】  ＵＰキーが操作されてからの経過時間と設定変更される数値との関係を示す図である。
【図３】  ＵＰキーが操作されて７秒を経過するまでの期間における経過時間と設定変更される数値との関係を示す図である。
【図４】  ＵＰキーが操作されて４秒から１２秒までの期間における経過時間と設定変更される数値との関係を示す図である。
【図５】  ＵＰキーが操作されて７秒から１５秒までの期間における経過時間と設定変更される数値との関係を示す図である。
【図６】  従来の波形表示装置におけるＵＰキーが操作されてからの経過時間と設定変更される数値との関係を示す図である。
【符号の説明】
７  ０．５秒当り１Ｖの変更量での連続的変更処理
９  ０．２秒当り１Ｖの変更量での連続的変更処理
１２  １位の桁の切上げ処理
１３  ０．５秒当り１０Ｖの変更量での連続的変更処理
１６  ０．５秒当り１００Ｖの変更量での連続的変更処理
【図１】
0004488546.tif 000002
【図２】
0004488546.tif 000003
【図３】
0004488546.tif 000004
【図４】
0004488546.tif 000005
【図５】
0004488546.tif 000006
【図６】
0004488546.tif 000007